(57)【要約】【課題】給気用の換気口に設置するフードにおいて、異物を分離する機能を備え、小型で意匠性を高めることを目的とする。【解決手段】円筒状のケース１の一端側に複数の固定羽根を備えた第一吸気口４と、固定羽根３と同じ側のケース１の一端面に流出口６を備え、ケース１内の他端側は、ケース１の側面において、円筒状のケース１の中心軸を水平に配置した状態で最下部に位置する第二吸気口５を備え、空間分割板７には、第一旋回室８と第二旋回室９とを連通する貫通孔を備え、第一吸気口４は、第一旋回室８を介して流出口６へ連通し、第二吸気口５は、第二旋回室９と前記貫通孔を介して流出口６へ連通する構成にしたことにより、コンパクトに構成できることで小型になり、外観が円筒状で構成されるので建物との一体感を高めたサイクロン分離装置を得られる。【選択図】図１
2018034146.tif 000002
【特許請求の範囲】
【請求項１】
気流が流入する円筒状のケースと、前記ケースの一端側で側面の少なくとも一部を開口した開口部と前記開口部に沿って複数配置した固定羽根とを備え形成した第一吸気口と、前記固定羽根と同じ側の前記ケースの一端側に流出口を備え、前記第一吸気口を通過する気流は固定羽根によって旋回成分を持った気流となって前記ケース内に流入し、前記流出口から前記ケース外へ気流が流れ出るサイクロン分離装置において、前記ケースの他端側は、前記ケースの側面において、前記円筒状のケースの中心軸を水平に配置した状態で最下部に位置させることができる第二吸気口と、前記ケースの内部において、内周側の第一旋回室と外周側の第二旋回室とに分割する空間分割板とを備え、前記空間分割板には、前記第一旋回室と第二旋回室とを連通する貫通孔を備え、前記第一吸気口は、前記第一旋回室を介して前記流出口へ連通し、前記第二吸気口は、前記第二旋回室と前記貫通孔を介して前記流出口へ連通するサイクロン分離装置。
【請求項２】
前記空間分割板は円筒壁を有し、前記ケースの他端側の前記円筒壁の端部は、前記ケースの内面と接触して、前記第一旋回室と前記第二旋回室とに分割した請求項１記載のサイクロン分離装置。
【請求項３】
前記第一旋回室の断面積が、前記ケースの一端側から他端側へ向けて、徐々に小さくなるように前記空間分割板を周回して備え、前記第二吸気口は、前記ケースの側面において前記第一吸気口で発生する旋回気流の回転方向に対して上流側に位置する上流側端部を有し、前記貫通孔は、前記ケースの中心軸と前記最下部を含む面で２分割した一方の側であって、前記第一吸気口で発生する旋回気流の回転方向に対して前記上流側端部よりも上流側に配置し、前記第二吸気口の近傍において、前記第二旋回室内に板状のガイド部材を設け、前記ガイド部材は、前記ケースの外周側に位置し前記ケースの他端から一端側へ向けて前記上流側端部を越えて前記ケースの軸方向へ延設した外周側の辺と、前記ケースの内周側に位置し前記ケースの他端から前記空間分割板へ向けて延設した内周側の辺とを有し、前記ケースの他端において、前記外周側の辺は前記貫通孔と前記上流側端部との間に配置しており、前記内周側の辺を前記第一吸気口で発生する旋回気流の回転方向に対して前記第二吸気口の中心位置よりも下流側に配置しており、前記第二旋回室内の流路において、前記内周側の辺は前記外周側の辺に比べて前記貫通孔からの距離が遠ざかる方向に配置した請求項１記載のサイクロン分離装置。
【請求項４】
前記第一旋回室の断面積が、前記ケースの一端側から他端側へ向けて、変わらないように前記空間分割板を周回して備え、前記第二吸気口は、前記ケースの側面において前記第一吸気口で発生する旋回気流の回転方向に対して上流側に位置する上流側端部を有し、前記貫通孔は、前記ケースの中心軸と前記最下部を含む面で２分割した一方の側であって、前記第一吸気口で発生する旋回気流の回転方向に対して前記上流側端部よりも上流側に配置し、前記第二吸気口の近傍において、前記第二旋回室内に板状のガイド部材を設け、前記ガイド部材は、前記ケースの外周側に位置し前記ケースの他端から一端側へ向けて前記第二吸気口を越えて前記ケースの軸方向へ延設した外周側の辺と、内周側の辺とを有し、前記ケースの他端において、前記外周側の辺は前記貫通孔と前記上流側端部との間に配置しており、前記内周側の辺を前記第一吸気口で発生する旋回気流の回転方向に対して前記第二吸気口の中心位置よりも下流側に配置しており、前記第二旋回室内の流路において、前記内周側の辺は前記外周側の辺に比べて前記貫通孔からの距離が遠ざかる方向に配置した請求項１記載のサイクロン分離装置。
【請求項５】
前記流出口は円筒形状で、前記ケース内に突出したケース側端部を有し、前記ケース側端部の位置は側面視において前記空間分割板と重なる位置であり、前記ケース側端部の全周に渡って広がる方向にリブを設けた請求項１記載のサイクロン分離装置。
【発明の詳細な説明】
【技術分野】
【０００１】
本発明は、建屋において屋外の空気を屋内に取り込む際、建屋の屋外外壁の空気取入口部分に取り付け、屋外の空気に含まれる異物を分離し、屋外へ戻すサイクロン分離装置に関するものである。
【背景技術】
【０００２】
従来、この種のサイクロン分離装置は、例えば特許文献１のものが知られている。
【０００３】
以下、そのサイクロン分離装置について図６を参照しながら説明する。
【０００４】
図６に示すように、軸方向の一端面に複数の羽根１０１を等間隔に隙間を開けて放射状に配置した円形状の流入口１０２と、他端面に円形状の流出口（流入口１０２と同軸上で図の背面側）を備え、流入口１０２と流出口の間の空間は円筒状の旋回室１０３となっており、流入口１０２から入った空気は羽根１０１によって旋回気流となり、その後気流は流出口から流出する。旋回室１０３の下方には、旋回気流によって空気中の異物を分離したものを収容する分離室１０４を備えている。
【先行技術文献】
【特許文献】
【０００５】
【特許文献１】特開２００８−３６５７９号公報
【発明の概要】
【発明が解決しようとする課題】
【０００６】
このような従来のサイクロン分離装置においては、旋回室と分離室が上下に配置される構造であるため、装置が縦方向に大きくなるという課題や、建物との一体感が低いという課題を有していた。
【０００７】
また、流入口は複数の羽根部材が隙間を開けて配置されているため、雨水の浸入を防ぐことができず、屋内に水が浸入しやすい構造である。このため、羽根部材の屋外側に風雨の進入を防ぐカバーを設ける必要があるが、この場合も、装置が大きくなるという課題や、その他装置のコストが上昇するという課題や建物との一体感が低いという課題などが生じていた。
【０００８】
そこで本発明は、上記従来の課題を解決するものであり、装置が大きくならず、意匠性の高いサイクロン分離装置を提供することを目的とする。
【課題を解決するための手段】
【０００９】
そして、この目的を達成するために、本発明に係るサイクロン分離装置は、気流が流入する円筒状のケースと、前記ケースの一端側で側面の少なくとも一部を開口した開口部と前記開口部に沿って複数配置した固定羽根とを備え形成した第一吸気口と、前記固定羽根と同じ側の前記ケースの一端面に流出口を備え、前記第一吸気口を通過する気流は固定羽根によって旋回成分を持った気流となって前記ケース内に流入し、前記流出口から前記ケース外へ気流が流れ出るサイクロン分離装置において、前記ケースの他端側は、前記ケースの側面において、前記円筒状のケースの中心軸を水平に配置した状態で最下部に位置させることができる第二吸気口と、前記ケースの内部において、内周側の第一旋回室と外周側の第二旋回室とに分割する空間分割板とを備え、前記空間分割板には、前記第一旋回室と第二旋回室とを連通する貫通孔を備え、前記第一吸気口は、前記第一旋回室を介して前記流出口へ連通し、前記第二吸気口は、前記第二旋回室と前記貫通孔を介して前記流出口へ連通させたものであり、これにより所期の目的を達成するものである。
【発明の効果】
【００１０】
本発明によれば、気流が流入する円筒状のケースと、前記ケースの一端側で側面の少なくとも一部を開口した開口部と前記開口部に沿って複数配置した固定羽根とを備え形成した第一吸気口と、前記固定羽根と同じ側の前記ケースの一端面に流出口を備え、前記第一吸気口を通過する気流は固定羽根によって旋回成分を持った気流となって前記ケース内に流入し、前記流出口から前記ケース外へ気流が流れ出るサイクロン分離装置において、前記ケースの他端側は、前記ケースの側面において、前記円筒状のケースの中心軸を水平に配置した状態で最下部に位置させることができる第二吸気口と、前記ケースの内部において、内周側の第一旋回室と外周側の第二旋回室とに分割する空間分割板とを備え、前記空間分割板には、前記第一旋回室と第二旋回室とを連通する貫通孔を備え、前記第一吸気口は、前記第一旋回室を介して前記流出口へ連通し、前記第二吸気口は、前記第二旋回室と前記貫通孔を介して前記流出口へ連通する構成にしたことにより、１つの円筒状ケース内に空間分割板によって第一旋回室と第二旋回室に分割され、空間分割板に第一旋回室と第二旋回室を連通する貫通孔を備えることで、第一吸気口から入った屋外の空気は、旋回気流となって第一旋回室へ流入し、ここで旋回気流中に含まれる異物が遠心力を受け、空間分割板近傍を周回し、貫通孔より第二旋回室へ移動する。つまり第二旋回室が分離した異物を受け入れる分離室となっており、１つの円筒状ケース内に空間分割板を挟んで、第一旋回室と、分離室となる第二旋回室を備えているので、装置のサイズが大きくなることを抑制し、装置が円筒形状で収まるため、建物との一体感も高くなるという効果を得ることができる。
【図面の簡単な説明】
【００１１】
【図１】本発明の実施の形態１の外観斜視図
【図２】同中心軸に沿った断面図
【図３】同Ａ−Ａ断面図
【図４】本発明の実施の形態２の中心軸に沿った断面図
【図５】同Ｂ−Ｂ断面図
【図６】本発明の実施の形態３の外観斜視図
【図７】同中心軸に沿った断面図
【図８】従来のサイクロン分離装置を示す外観斜視図
【発明を実施するための形態】
【００１２】
本発明の請求項１記載のサイクロン分離装置は、気流が流入する円筒状のケースと、前記ケースの一端側で側面の少なくとも一部を開口した開口部と前記開口部に沿って複数配置した固定羽根とを備え形成した第一吸気口と、前記固定羽根と同じ側の前記ケースの一端面に流出口を備え、前記第一吸気口を通過する気流は固定羽根によって旋回成分を持った気流となって前記ケース内に流入し、前記流出口から前記ケース外へ気流が流れ出るサイクロン分離装置において、前記ケースの他端側は、前記ケースの側面において、前記円筒状のケースの中心軸を水平に配置した状態で最下部に位置させることができる第二吸気口と、前記ケースの内部において、内周側の第一旋回室と外周側の第二旋回室とに分割する空間分割板とを備え、前記空間分割板には、前記第一旋回室と第二旋回室とを連通する貫通孔を備え、前記第一吸気口は、前記第一旋回室を介して前記流出口へ連通し、前記第二吸気口は、前記第二旋回室と前記貫通孔を介して前記流出口へ連通するという構成を有する。
【００１３】
これにより、円筒状ケース内は空間分割板によって第一旋回室と第二旋回室に分割され、空間分割板に第一旋回室と第二旋回室を連通する貫通孔を備えることで、第一吸気口から入った屋外の空気は、旋回気流となって第一旋回室へ流入し、ここで旋回気流中に含まれる異物は遠心力を受け、空間分割板近傍を周回し、貫通孔より第二旋回室へ移動する。つまり第二旋回室が分離した異物を受け入れる分離室となっており、第二旋回室に分離した異物は重力により下部付近つまり第二吸気口付近に堆積する。さらに、装置外で自然風が吹き、第二旋回室付近でも横風が吹くと、ベルヌーイの定理より静圧が低下し、第二旋回室側よりも装置外の静圧が低くなると、異物が装置外へ排出される。この作用により、第二旋回室に分離した異物を屋外へ戻すことができる。
【００１４】
また、本装置の下流側に配置する送風機によって、本装置内は負圧となっており、第二吸気口においても本装置外から第二旋回室へ向かって空気が流入する。第一旋回室の旋回気流の一部は指向性を持って貫通孔より第二旋回室に流入するため、第二旋回室内の気流は第一旋回室の気流と同じ旋回方向となり、第二吸気口から流入した気流はその旋回気流に乗って旋回する。これにより、第一旋回室から第二旋回室に移動してきた異物や、第二旋回室から流入した異物を外周側へ移動させることができ、異物が貫通孔から第一旋回室へ移動することを抑制できるため、分離性能の低下を抑えることができる。
【００１５】
つまり、１つの円筒状ケース内に空間分割板を挟んで、第一旋回室と、分離室となる第二旋回室を備えているので、本装置のサイズが大きくなることを抑制しながら分離性能を確保している。そして、サイクロン分離装置が円筒形状で収まるため、建物との一体感も高くなるという効果を得ることができる。
【００１６】
また、本発明の請求項２記載のサイクロン分離装置は、前記空間分割板は円筒壁を有し、前記ケースの他端側の前記円筒壁の端部は、前記ケースの内面と接触して、前記第一旋回室と前記第二旋回室に分割した。
【００１７】
これにより、第一旋回室の周りを第二旋回室が円環状に囲む構造となり、第二旋回室内の気流を確実に旋回させることができる。そのため、第二旋回室内の異物が旋回し遠心力を受け第二旋回室の外周側へ移動するため、貫通孔から第一旋回室へ流入することを抑制することができる。また、中心軸方向で、第一旋回室の並びに第二旋回室が来るわけではなく、第一旋回室を取り囲むように第二旋回室が構成されるため、中心軸方向の高さも抑制することができ、本装置の小型化につながる。
【００１８】
また、本発明の請求項３記載のサイクロン分離装置は、前記第一旋回室の断面積が、前記ケースの一端側から他端側へ向けて、徐々に小さくなるように前記空間分割板を周回して備え、前記第二吸気口は、前記ケースの側面において前記第一吸気口で発生する旋回気流の回転方向に対して上流側に位置する上流側端部を有し、前記ケースの中心軸と前記最下部を含む面で２分割した一方の側であって、前記第一吸気口で発生する旋回気流の回転方向に対して前記上流側端部よりも上流側に前記貫通孔を配置し、前記貫通孔よりも前記第二吸気口の近傍において、前記第二旋回室内に板状のガイド部材を設け、前記ガイド部材は、前記ケースの外周側に位置し前記ケースの他端から一端側へ向けて前記上流側端部を越えて前記ケースの軸方向へ延設した外周側の辺と、前記ケースの内周側に位置し前記ケースの他端から前記空間分割板へ向けて延設した内周側の辺とを有し、前記ケースの他端において、前記外周側の辺は前記貫通孔と前記上流側端部との間に配置しており、前記内周側の辺を前記第一吸気口で発生する旋回気流の回転方向に対して前記第二吸気口の中心位置よりも下流側に配置しており、前記第二旋回室内の流路において、前記内周側の辺は前記外周側の辺に比べて前記貫通孔からの距離が遠ざかる方向に配置した。
【００１９】
これにより第一旋回室内の断面積が小さくなるに従い、旋回気流中に含まれる異物に作用する遠心力が大きくなるため、より確実に異物を第一旋回室から貫通孔を通って第二旋回室へ移動させることができる。つまり異物の分離性能が向上する。
【００２０】
また、第一旋回室内の旋回気流の一部が貫通孔より第二旋回室へ吹き出すことで、第二旋回室内も第一旋回室内の同方向の旋回気流が発生するが、第二吸気口付近にガイド部材を設けることで、第二吸気口から流入した気流も確実に第一旋回室の旋回気流と同じ方向へ指向させることができ、第二旋回室内の旋回気流をより強くする効果を得る事ができる。これにより、第二旋回室内において第二吸気口から流入した異物を貫通孔から遠ざけることができ、異物が貫通孔より第一旋回室へ流入し、流出口へ流れ出ることを防ぐ効果を高めることができる。
【００２１】
また、本発明の請求項４記載のサイクロン分離装置は、前記第一旋回室の断面積が、前記ケースの一端側から他端側へ向けて、変わらないように前記空間分割板を周回して備え、前記第二吸気口は、前記ケースの側面において前記第一吸気口で発生する旋回気流の回転方向に対して上流側に位置する上流側端部を有し、前記ケースの中心軸と前記最下部を含む面で２分割した一方の側であって、前記第一吸気口で発生する旋回気流の回転方向に対して前記上流側端部よりも上流側に前記貫通孔を配置し、前記貫通孔よりも前記第二吸気口の近傍において、前記第二旋回室内に板状のガイド部材を設け、前記ガイド部材は、前記ケースの外周側に位置し前記ケースの他端から一端側へ向けて前記第二吸気口を越えて前記ケースの軸方向へ延設した外周側の辺と、内周側の辺とを有し、前記ケースの他端において、前記外周側の辺は前記貫通孔と前記上流側端部との間に配置しており、前記内周側の辺を前記第一吸気口で発生する旋回気流の回転方向に対して前記第二吸気口の中心位置よりも下流側に配置しており、前記第二旋回室内の流路において、前記内周側の辺は前記外周側の辺に比べて前記貫通孔からの距離が遠ざかる方向に配置した。
【００２２】
これにより、第一旋回室、第二旋回室ともケースの一端側から他端側にかけて、断面積が変わらない構造となるため、空間分割板と流出口との距離を確保することができ、異物が用意に流出口へ流れこむことを防ぐことができるので、分離性能が向上する。また、第一旋回室と第二旋回室を含む部材を樹脂成型で製作する際に、一体構造として製作が容易となる。
【００２３】
また、第一旋回室内の旋回気流の一部が貫通孔より第二旋回室へ吹き出すことで、第二旋回室内も第一旋回室内の同方向の旋回気流が発生するが、第二吸気口付近にガイド部材を設けることで、第二吸気口から流入した気流も確実に第一旋回室の旋回気流と同じ方向へ指向させることができ、第二旋回室内の旋回気流をより強くする効果を得る事ができる。これにより、第二旋回室内において第二吸気口から流入した異物を貫通孔から遠ざけることができ、異物が貫通孔より第一旋回室へ流入し、流出口へ流れ出ることを防ぐ効果を高めることが出来る。
【００２４】
また、本発明の請求項５記載のサイクロン分離装置は、前記流出口は円筒形状で、前記ケース内に突出したケース側端部を有し、前記ケース側端部の位置は側面視において前記空間分割板と重なる位置であり、前記ケース側端部の全周に渡って広がる方向にリブを設けた。
【００２５】
これにより、本装置が雨に降られた場合においても、雨水が流出口より外へ出ることを防ぐことができる。流入口と流出口のケース側端部の内側へは直線で結ぶことができず、雨水が直接入り込むことがなくなる。また、流出口の円筒外面側を伝わる水をケース側端部に設けたリブで水が表面を伝わって流出口内部に入り込むことを防ぐことができ、水の分離性能が向上する。
【００２６】
以下、本発明の実施の形態について図面を参照しながら説明する。
【００２７】
（実施の形態１）
図１は、本実施の形態におけるサイクロン分離装置の外観図であり、円筒状のケース１の一端側で側面を周回して開口した開口部２に固定羽根３を複数配置した第一吸気口４を備え、ケース１側面において、第一吸気口４とは反対側の他端側に、円筒状のケース１の中心軸２０を水平に配置した状態で重力方向の最下部に位置させることができる第二吸気口５を備えている。
【００２８】
固定羽根３は開口部２に３６０度に渡って一定の隙間を開けて配置しており、本実施の形態では１８枚設け、中心軸２０に対して全て同じ角度を向いている。これにより固定羽根３を通過した気流は旋回気流となる。なお、本実施の形態において開口部２は３６０度にわたり開口しているが、一部がふさがっていてもよい。
【００２９】
図２は、円筒状のケース１の中心軸２０に沿って（見やすくするために中心軸から僅かに手前にずらしている）カットした断面図である。ケース１の第一吸気口４側をふさいで端面１Ａとし、その中央に装置外と装置内を連通する円筒状の流出口６を備えている。なお、端面１Ａに対して反対側の端面１Ｂは開口がなく塞がれている。
【００３０】
前記ケース１内の端面１Ｂ側には、空間分割板７を備え、この空間分割板７の内周側空間を第一旋回室８、外周側空間を第二旋回室９とし、空間分割板７は、ケース１の円筒状の中心軸２０を横断する第一旋回室８の断面積が流出口６から遠ざかるにつれて、徐々に小さくなるように傾斜している。すなわち空間分割板７は円錐台形状の円筒壁２５を有している。
【００３１】
空間分割板７の一端はケース１の側面と接触しており、ここの空間分割板７の端部を端部７Ａとし、他端はケース１の端面１Ｂと接触しており、この空間分割板７の端部を端部７Ｂとする。
【００３２】
つまり、円筒状のケース１の中に空間分割板７を介して、第一旋回室８と第二旋回室９を構成し、ケース１の端面１Ｂは、中心部と外周部でそれぞれ第一旋回室８と第二旋回室９の空間と接している。なお、端部７Ｂを閉じた閉塞面としてもよい。この場合閉塞面が端面１Ｂと接触することとなる。
【００３３】
また、第一旋回室８と第二旋回室９とは空間分割板７に設けた貫通孔１０によって連通するようにしている。貫通孔１０は空間分割板７の前記円筒壁の一部に備えている。これにより、第一吸気口４は、第一旋回室８を介して流出口６へ連通し、第二吸気口５は、第二旋回室９と貫通孔１０を介して、第一旋回室８へ連通し、さらに流出口６へ連通するという構成が形成されている。
【００３４】
また、第一旋回室８の最大径と第二旋回室９の最大径は同じである。
【００３５】
本実施の形態では、本体のケース１の開口部２に固定羽根３の内周側端部が接するように配置しているため、固定羽根３部分が本体のケース１より突出した構成となっている。また、開口部２に固定羽根３の外周側端部が接するように配置すると、固定羽根３部分は本体のケース１内に納まる。
【００３６】
流出口６は円筒状で、端面１Ａを貫通するようにケース１と同じ中心軸２０上に配置され、流出口６の一端は空間分割板７の端部７Ａを超えて第一旋回室８内へ突出している。なお、流出口６の一端は端部７Ａを超えなくても良い。そして反対側は装置外へ突出しており、ダクトが接続できるようになっている。
【００３７】
図３は、図２におけるＡ−Ａ断面図であり、第二旋回室９内の貫通孔１０よりも第二吸気口５に近い位置で第二吸気口５の上方にガイド部材１１を備え、外周側の辺を下端１１Ａ、内周側の辺を上端１１Ｂとし、下端１１Ａは貫通孔１０と上流側端部５Ａとの間に配置し、上端１１Ｂは図３で示す第二吸気口５の中心位置を示す中心線２１を超えて配置し、ガイド部材１１の下端１１Ａから上端１１Ｂに行くに従い、第二旋回室９内の流路において、貫通孔１０から遠ざかる方向へ傾斜している。
【００３８】
ガイド部材１１は、第二吸気口５から流入した空気の流れ方向を決めるもので、第一吸気口４から流入した気流の旋回方向、つまり第一旋回室８内の旋回気流の方向と同じ方向になるようにガイド部材１１を配置している。第二吸気口５からの気流を確実に旋回させるために、ガイド部材１１の下端１１Ａを上流側端部５Ａよりも旋回方向（図３白矢印）の上流側に位置するように配置し、上端１１Ｂは空間分割板７の曲面の最下部よりも旋回方向の下流側に位置するように配置し、中心軸２０からの距離が第二吸気口５が最も遠く、次に下端１１Ａ、そして上端１１Ｂが最も小さくなるように配置している。
【００３９】
上端１１Ｂの位置はガイド部材１１を通過した気流が空間分割板７の曲面に沿って第一旋回室８内の旋回気流の方向と同じ方向へ流れるよう、空間分割板７の曲面で最下部になる位置（図３の中心線２１）、つまり第二吸気口５の中心位置よりも下流側に配置している。
【００４０】
またガイド部材１１により、第二吸気口５から流入した気流が直接、貫通孔１０へ向かうことを防いでいる。そのため、ガイド部材１１の下端１１Ａ側との接線と上端１１Ｂ側の接線とは平行ではなく角度を持っている。本実施の形態では、下端１１Ａ側は丸みを帯びているが、直線状となっていてもよい。
【００４１】
ガイド部材１１はケース１の端面１Ｂと空間分割板７に接しており、本実施の形態ではガイド部材１１の上下は連通した空間となっているが、空間分割板７の傾斜角度つまり、第一旋回室８の断面積が端面１Ｂに向うに従い断面積が小さくなる度合いによっては、ガイド部材１１の上側は流路として連通せず、下側のみが連通した空間となる場合もある。
【００４２】
空間分割板７には、その側面に第一旋回室８と第二旋回室９を連通する開口である貫通孔１０を備えている。貫通孔１０は、旋回気流（図３の白矢印方向）が上から下に流れる部分、つまり図３において中心線２１よりも左側において、第一吸気口４で発生する旋回気流の回転方向（図３の白矢印）に対して上流側端部５Ａよりも上流側に設ける。これは、第一旋回室８内の旋回気流に含まれる異物は旋回成分を持って、貫通孔１０より第二旋回室９へ流入するため、重力を利用して、第二旋回室９の下部へ速やかに移動させるためである。
【００４３】
また、本実施の形態では貫通孔１０は、空間分割板７の端部７Ｂまで開口させているが、端部７Ｂまでは開口しなくてもよく、また端部７Ａと端部７Ｂの両方に渡って開口（この場合、空間分割板７としては途中で分断された状態となる）していてもよい。
【００４４】
第二吸気口５の開口面積は、第一吸気口４となっている開口部２の開口面積に対して０．５〜３％程度とするのが望ましく、本実施の形態では、第二吸気口５の開口面積は開口部２の面積に対して約１．２％となっている。このように第二吸気口５は第一吸気口４となっている開口部２の開口面積に対して非常に小さくなっている。このようにしているのは、第一吸気口４から流入する気流が本装置で処理を行う主の空気とするためである。３％より大きくなると、第二吸気口５からの流入が増加し、図２に示す貫通孔１０で第二旋回室９から第一旋回室８へ向かう気流が増加し、第一旋回室８で分離した異物を第二旋回室９へ移動しづらくなる（詳細な気流の流れと異物の動きについては後述）。また、第二吸気口５の開口面積は小さすぎてもよくなく、分離した異物は第二吸気口５付近に堆積し、第二吸気口５は異物を排出するための開口であるため、異物が詰まらない程度の大きさが必要だからである。
【００４５】
上記構成においてサイクロン分離装置における気流の流れを説明する。
【００４６】
流出口６と送風機（図示せず）をダクトで接続し、送風機を運転すると、ケース１内が負圧になるため、外気と連通している第一吸気口４と第二吸気口５から空気が流入する。ただし、前述したように第二吸気口５の開口面積は、第一吸気口４のある開口部２の開口面積に対して０．５〜３％であるので、大部分は第一吸気口４から流入する。
【００４７】
図２に示すように、第一吸気口４から流入した空気は、固定羽根３によって旋回気流となり、第一旋回室８内を旋回しながらケース１の端面１Ｂ方向へ進行する。この時、第一旋回室８の断面積は徐々に小さくなっているので、旋回気流に含まれる異物へ作用する遠心力は強くなっていく。端面１Ｂ付近で旋回気流の中心軸２０に対する進行方向が反転し、第一旋回室８内の中心付近を通って流出口６へ向かい、装置外へ流出する。
【００４８】
また、第一旋回室８の旋回気流の一部は貫通孔１０から第二旋回室９へ流入するため、第二旋回室９内においても第一旋回室８の旋回気流と同方向の旋回気流が僅かながら発生する。
【００４９】
第二吸気口５から流入した空気はガイド部材１１により、貫通孔１０から遠ざかる方向へ気流が曲げられる。つまり、上述した第一旋回室８内の旋回気流と同一方向に曲げられるため、第二旋回室９内に旋回気流が確実に発生する。第二吸気口５から流入した空気は第二旋回室９内を周回して貫通孔１０より第一旋回室８へ入り、第一旋回室８内の気流と合流して流出口６より装置外へ流出する。
【００５０】
次に本装置に流入した異物を分離する作用について説明する。
【００５１】
第一吸気口４から空気とともに流入した異物（例えば、蚊やショウジョウバエ、キノコバエ、蛾などの小昆虫）は、第一旋回室８内の旋回気流によって遠心力を受け、外周側の空間分割板７付近を周回する。周回している間に、異物が貫通孔１０付近を通過するとより外側へ移動しようとするため、この貫通孔１０を通って第一旋回室８から第二旋回室９へ移動、つまり分離する。第二旋回室９は分離した異物を受け入れる空間、つまり分離室となっている。
【００５２】
異物は空気に比べて質量が大きいため重力の作用によって、第二旋回室９内の下部である第二吸気口５付近に堆積する。異物が小昆虫などの場合、第二旋回室９に分離した直後は、まだ生きているため、第二旋回室９内を浮遊することができる。しかし、第二旋回室９内にも旋回気流が発生しているため、遠心力を受け第二旋回室９の外周側へ移動することとなり、貫通孔１０から第一旋回室８へ戻ることは抑制される。
【００５３】
つまり、第一旋回室８で分離した異物を受け入れる第二旋回室９でも旋回気流が発生していることにより、分離した異物が再び第一旋回室８へ戻ることを抑制している。同様に第二吸気口５から流入した異物に対しても第一旋回室８へ流入することを抑制することができる。
【００５４】
また、第二吸気口５は第二旋回室９内に一旦貯留された異物を装置外へ排出するための開口でもある。装置外の自然風が無風の場合は、前述したように、第二吸気口５から空気が流入するため、異物は出て行かない。しかし、図３に示すように、装置外で自然風が吹き、第二吸気口５付近の自然風の流れが黒矢印のようになると、ベルヌーイの定理により静圧が低下する。自然風により第二吸気口５部分で装置内よりも装置外の静圧が低下すると、異物は装置外へ引き寄せられ、排出される。本装置では、このように自然風を利用して、第二旋回室９内に一旦貯留した異物を屋外へ排出している。これにより、サイクロン分離装置のメンテナンスが不要となる。
【００５５】
以上のように、ケース１の一端側の周回状の開口部２に複数の固定羽根３を設けた第一吸気口４、ケース１側面で第一吸気口４と反対側の重力方向の最下部に第二吸気口５を設け、ケース１内を空間分割板７で第一旋回室８と第二旋回室９に分割し、空間分割板７に第一旋回室８と第二旋回室９を連通する貫通孔１０を設け、主流は第一吸気口４から流入し第一旋回室８を通り流出口６へ流れ、一部の空気は第二吸気口５から流入し第二旋回室９を通り、貫通孔１０より第一旋回室８へ抜け流出口６へ流れる構成にすることで、第一吸気口４から空気と共に流入した異物は第一旋回室８で分離され貫通孔１０より第二旋回室９へ移動する。第二旋回室９は第一旋回室８で分離した異物を受け入れる分離室の役割を持っている。つまり、本実施の形態のサイクロン分離装置は第一旋回室８の周囲に分離室を設けた構成になっており、さらに分離室である第二旋回室９内の空気は旋回気流となっていることで、分離した異物や、第二吸気口５から流入した異物が貫通孔１０より第一旋回室８へ流入することを抑制でき、分離性能が向上している。
【００５６】
このように円筒状のケース１内に旋回・分離空間があるため、サイクロン分離装置をコンパクトに構成することができ小型になる。また、外観上は円筒形状なので、建物との一体感も高めることができる。
【００５７】
また、本装置は、建屋の外壁の吸気口部分に風雨を防ぐためのフードとしての利用を想定している。つまり異物を分離する機能の付いたフードである。
【００５８】
屋外外壁に設置された際、雨が降った場合は、第一吸気口４から雨水が流入するが、第一吸気口４は３６０度開口しているため、そのまま下方へ落下していく。流出口６の端部は第一吸気口４より第一旋回室８側へ突出しているため、雨水が流出口６に直接入ることはない。万が一装置内へ流入しても流出口６はケース１端面の中央部に存在しているため、雨水が流出口６より下流へ浸入する恐れはない。ケース１内へ水しぶきが流入しても、旋回気流によって空間分割板７へ付着させることができる。本実施の形態では、空間分割板７は第一吸気口４へ向かって傾斜しているため、空間分割板７に付着した雨水は第一吸気口４へ流れ出ることとなる。
【００５９】
また、強風が吹いたとしても、第一吸気口４は３６０度開口しているため、風が抜ける構造である。また前述した構造により風が直接、流出口６へ流入することはない。
【００６０】
つまり、本装置はコンパクトに異物を分離する機能を備えながら、風雨を防ぐフードとしての本来の機能を確実に押さえている。
【００６１】
（実施の形態２）
実施の形態１と構成・作用が同じ部分については説明を省略する。
【００６２】
図４は本実施の形態を示す断面図である。第一旋回室８と第二旋回室９のケース１の円筒状の中心軸２０を横断する断面積は本体のケース１の端面１Ａから端面１Ｂへ向けて変わらないように、空間分割板７を一様に周回して備えている。
【００６３】
これにより、空間分割板７と流出口６との距離を確保することができ、第一旋回室８を旋回する気流に含まれる異物が流出口６から流れ出ることを抑制することができる。
【００６４】
図５は図４におけるＢ−Ｂ断面図である。
【００６５】
ガイド部材１１を第二旋回室９内の第二吸気口５近傍に端面１Ｂから第二吸気口５を超えて固定羽根３部分に渡って、配置している。ガイド部材１１の下端１１Ａを上流側端部５Ａよりも旋回方向の下流側に位置するように配置し、上端１１Ｂは空間分割板７の曲面の最下部よりも旋回方向の上流側に位置するように配置し、中心軸２０からの距離が第二吸気口５が最も遠く、次に下端１１Ａ、そして上端１１Ｂが最も小さくなるように配置している。
【００６６】
これにより、空間分割板７が円筒状の場合に置いても、第二吸気口５から流入した気流を第一旋回室８内の旋回気流の方向と同じ方向に旋回させることができ、第二吸気口５内の異物が旋回することで、貫通孔１０より第一旋回室８内へ移動することを抑制している。
【００６７】
本実施の形態においても、主流は第一吸気口４から流入し第一旋回室８を通り流出口６へ流れ、一部の空気は第二吸気口５から流入し第二旋回室９を通り、貫通孔１０より第一旋回室８へ抜け流出口６へ流れる構成にすることで、第一吸気口４から空気と共に流入した異物は第一旋回室８で分離され貫通孔１０より第二旋回室９へ移動する。第二旋回室９は第一旋回室８で分離した異物を受け入れる分離室の役割を持っている。つまり、本装置は第一旋回室８の周囲に分離室を設けた構成になっており、さらに分離室である第二旋回室９内の空気は旋回気流となっていることで、分離した異物や、第二吸気口５から流入した異物が貫通孔１０より第一旋回室８へ流入することを抑制でき、分離性能が向上している。
【００６８】
このように円筒状のケース１内に旋回・分離空間があるため、装置をコンパクトに構成することができ小型になる。また、外観上は円筒形状なので、建物との一体感も高めることができる。
【００６９】
また、本装置は、建屋の外壁の吸気口部分に風雨を防ぐためのフードとしての利用を想定している。つまり異物を分離する機能の付いたフードである。
【００７０】
（実施の形態３）
実施の形態１と構成・作用が同じ部分については説明を省略する。
【００７１】
図６は本実施の形態を示す外観斜視図で、開口部２の上部が一部塞がれて閉塞部２２を備えている。
【００７２】
また、図７は中心軸２０に沿ってカットした断面図である。図７に示すように、ケース１内において、流出口６のケース側端部２３は、空間分割板７と重なる位置にまで突出しており、ケース側端部２３には、外側を周回するリブ２４を備えている。すなわち、ケース側端部２３にフランジを備えている。なお、本実施の形態ではリブ２４は鍔状の平板であるが、中心軸２０の軸方向にリブ２４の厚みを持たせてもよく、またケース側端部２３を円弧状つまりラッパ状としてもよい。
【００７３】
閉塞部２２は、第二吸気口５に対して１８０度反対側でケース１側面の上部側に位置する。これにより、本装置に雨がかかったとしても、閉塞部２２により本装置内に流入する雨水の量を減少させることができる。
【００７４】
リブ２４は、開口部２から流入した雨水が流出口６の円筒外側表面に付着した際、その表面を伝って、ケース側端部２３から流出口６内に流入するのを防ぐことができる。なお、リブ２４の形状は、流出口６の円筒外側表面を伝わる水滴の進行方向が円筒外側表面において中心軸２０から離れる方向へ変わるような形状であれば前述したように他の形状でもよい。
【００７５】
本実施の形態では、閉塞部２２とリブ２４により、開口部２から流入した雨水が流出口６から出て行くのを抑制することができる。
【００７６】
また、リブ２４は、第一旋回室８から流出口６へ気流が流入する際にケース側端部２３での乱流の発生を抑制し、本装置の圧力損失を低減することも可能となる。
【産業上の利用可能性】
【００７７】
本発明に係るサイクロン分離装置は、装置をコンパクトに構成し小型化することと、意匠性を高めることを可能としながら、異物を分離し屋外へ戻すとともに、風雨の進入の防止を可能とするものであるので、建屋の換気口（給気側）に取り付ける屋外フード等として有用である。
【符号の説明】
【００７８】
１    ケース
１Ａ    端面
１Ｂ    端面
２    開口部
３    固定羽根
４    第一吸気口
５    第二吸気口
５Ａ    上流側端部
６    流出口
７    空間分割板
７Ａ    端部
７Ｂ    端部
８    第一旋回室
９    第二旋回室
１０    貫通孔
１１    ガイド部材
１１Ａ    下端
１１Ｂ    上端
２０    中心軸
２１    中心線
２２    閉塞部
２３    ケース側端部
２４    リブ
２５    円筒壁
【図１】
2018034146.tif 000003
【図２】
2018034146.tif 000004
【図３】
2018034146.tif 000005
【図４】
2018034146.tif 000006
【図５】
2018034146.tif 000007
【図６】
2018034146.tif 000008
【図７】
2018034146.tif 000009
【図８】
2018034146.tif 000010